(57)【要約】【課題】テンキーを比較的狭い領域に集めて配置した場合において、ある程度大きな力がかかったとしても、変形しにくく筐体内部のプリント基板に不都合が及ぶことがないキーボードを得ることを目的としている。【解決手段】キーボードのキーを配置する領域を略六角形以上の多角形の小領域に分割し、その小領域内に一対のキーを配置した。また、筐体の内側に小領域に対応するリブを形成した。特にキーボードのキーとしてテンキーの配置について適用することにより、外力に対して変形しにくいテンキー部分を有する携帯電話装置等の情報端末装置を実現している。また、小領域の両側からキーを照明して均一な照明を実現している。そして、小領域内に一対の半円形のキーを配置することにより、一見すると大きな円形のキーが配置されているように見えるキーボードを実現している。【選択図】図１
2005099899.tif 000002
【特許請求の範囲】
【請求項１】
キーボードの筐体のキーを配置する領域を略六角形以上の多角形の小領域に分割し、前記小領域内に一対のキーを配置したことを特徴とするキーボード。
【請求項２】
キーボードの筐体のキーを配置する領域を略六角形以上の多角形の小領域に分割し、前記小領域内に一対のキーを配置するとともに、
前記小領域の両側に一対の照明手段を設けて、前記照明手段により、前記小領域内に配置した一対のキーを照明するようにしたことを特徴とするキーボード。
【請求項３】
前記略六角形以上の多角形の小領域内に配置する一対のキーの外形を半円形としたことを特徴とする請求項１または請求項２に記載のキーボード。
【請求項４】
キーを配置する領域を略六角形以上の多角形の小領域に分割した前記筐体の内側に、前記略六角形以上の多角形の小領域に対応するリブを形成したことを特徴とする請求項１から請求項３のいずれかに記載のキーボード。
【請求項５】
キーボードの筐体のテンキーを配置する領域を略六角形以上の多角形の小領域に分割し、前記小領域内に一対のテンキーを配置した請求項１から請求項４のいずれかに記載のキーボード。
【請求項６】
請求項１から請求項５のいずれかに記載のキーボードを有する情報端末装置。
【発明の詳細な説明】
【技術分野】
【０００１】
本発明は、キーボードおよび携帯電話装置等のキーボードを有する情報端末装置に関する。
【背景技術】
【０００２】
従来のキーボードを有する情報端末装置として携帯電話装置を例として説明する。従来の携帯電話装置では、通話機能を実現するために必要なキーとして電話番号を入力するためのテンキーと、無線回線を捕捉して通話を開始するための通話開始キーと、終話するための終話キーを設けていた。また最近では、携帯電話装置の機能の高度化に対応するため電子電話帳を始め各種のメニューを表示してスクロール操作を行うスクロールキーあるいは多方向キーを更に設けたものが実用化されている。
【０００３】
図１３に、従来の携帯電話装置８００の外観図を示す。携帯電話装置８００は無線通信手段を筐体８０１に内蔵し、筐体８０１の表面に電話番号を入力するためのテンキー８０２、通話開始キー８０３、そして終話キー８０４を設けている。筐体８０１には、その他に送話器として機能するマイクロフォン８０５、受話器として機能するスピーカ８０６、無線の電界強度やテンキーで入力した電話番号の数値等を表示する表示部８０７を設け、アンテナ８０８を筐体から突出させている。この携帯電話装置８００では、テンキー８０２の形状を円形とし、見やすく押しやすい大きなキーとして配置している。
【０００４】
図１４に、他の従来の携帯電話装置９００の外観図を示す。携帯電話装置９００では、表示部とテンキーの間にスクロール動作をさせるための多方向キー９０９を配置している。なお、携帯電話装置９００の多くの構成部分は図１３に示した携帯電話装置８００の構成部分と同じてあるため、同じ部分については同じ番号を付して説明を省略する。携帯電話装置９００では、多方向キー９０９の上、下、左、または右を押すことにより画面をスクロールさせる信号を入力することができ、表示部８０７に複数の電話番号を一覧表示した後、発信したい電話番号をスクロールして選択すること等ができる。また、インターネット接続機能を付加してインターネットの各種サービスサイトから利用可能なメニューをダウンロードして上下左右にスクロールすることもできる。なお、多方向キー９０９の上にはソフトキー９１０，９１１を設け、表示部８０７にソフト的に表示されるソフトキー用アイコン９１２，９１３に対応する信号を入力することができるようにしている。
【０００５】
携帯電話装置９００で、多方向キー９０９を快適に操作するには、平面的にある程度の大きさが必要であり、多方向キー９０９を設ける領域を確保するために、テンキー９０２の外形を短径が長径の半分程度の楕円形として、筐体９０１の下方に集め、テンキーを配置する領域を図１３で示した携帯電話装置８００の半分程度に減らしている。なお、テンキー同士を近接させるとテンキー間の筐体の成型品の肉厚がうすくなってテンキーを配置する領域の強度が低下することになるので、図１５に携帯電話装置９００のテンキー部分のＡ−Ａ断面を示すように、筐体９０１のテンキー９０２に挟まれている部分９０１ａについては、筐体９０１の表面から内側に向けてリブ状に延ばして剛性を高め、外力を受けても変形しにくくしている。図１５を見ると、テンキー９０２に挟まれた筐体部分９０１ａの肉厚が他の筐体部分より厚くなっていることが理解されよう。
【０００６】
なお、図１５の各部を簡単に説明すると、筐体９０１にはプリント基板９１５を収納し、プリント基板９１５の上にダイヤフラム９１６を配置している。そして、プリント基板９１５とダイヤフラム９１６を覆うようにテンキー９０２を被せている。テンキー９０２は、可撓性のあるシート部９０２ａにキートップ部９０２ｂを一体成形したゴムシートを用いている。キートップ部９０２ｂを押すと、シート部９０２ａが撓み、ダイヤフラム９１６が押されてスイッチが入る。ここで、前記筐体のテンキー９０２に挟まれた部分９０１ａはキートップ部９０２ｂの上下動作をガイドする役目も果たしている。
【０００７】
しかし上記の筐体９０１ａで剛性を高め、テンキーの通常の使用状態に必要な強度が得られたとしても、例えば携帯電話装置９００をズボンの後ポケットに入れたまま座るとか、通常のテンキーの使用状態を越える大きな力が加わると、テンキー９０２が配置されている領域の筐体部分がたわんで、極端な場合にはテンキー９０２に対向している筐体内部のプリント基板９１５に不具合を与える可能性がある。
【０００８】
また従来の携帯電話装置では、暗いところでもテンキーが見えるようにテンキーの下方から発光ダイオード（以下、ＬＥＤという）で照明するようにしているが（例えば、特許文献１）、携帯電話装置９００では、図１６に示すように、テンキーとテンキーの間にＬＥＤ９１７を配置している。しかし携帯電話装置の小型化の要請を満たすためには、テンキーの外側のプリント基板９１５上にＬＥＤを配置する領域が確保できないため、テンキーの外側にＬＥＤを配置できず、図１６のように縦二列のＬＥＤ９１７で縦三列のテンキーを照明するようにしている。そのため、外側のテンキーの明るさが中央のテンキーより暗くなるという傾向があった。
【特許文献１】特開２００１−８６２３３号公報（第８頁、第１２図）
【発明の開示】
【発明が解決しようとする課題】
【０００９】
本発明は、テンキーを比較的狭い領域に集めて配置したとしても、通常のテンキーの使用状態はもちろん、通常のテンキーの使用状態を越えるある程度大きな力がかかったとしても、その力が大きく筐体を変形させたり、筐体内部のプリント基板に不都合が及ぶことがない、テンキー部分の筐体の強度を増大させたキーボードおよびキーボードを有する携帯電話装置等の情報端末装置を提供することを第一の目的としている。
【００１０】
また本発明は、小型化の要請を満たすために確保しにくかったプリント基板のテンキーの外側にＬＥＤを配置する領域を確保してＬＥＤを配置することにより、筐体の外側のテンキーの明るさが中央のテンキーと同程度の明るさになるキーボートおよびキーボードを有する携帯電話装置等の情報端末装置を提供することを第二の目的としている。
【００１１】
更に本発明は、テンキーを狭い領域に集めて配置したとしても、一見したところ大きなテンキーが設けてあるように見せることができ、小さいキーがゴチャゴチャした印象を与えずに、見た目にスッキリと配置されたキーボートおよびキーボードを有する携帯電話装置等の情報端末装置を提供することを第三の目的としている。
【課題を解決するための手段】
【００１２】
本発明は、前記第一の課題を解決するために、キーボードのキーを配置する領域を略六角形以上の多角形の小領域に分割し、その小領域内に一対のキーを配置したことを最も主要な特徴とする。
【００１３】
また本発明は、キーボードの筐体のキーを配置する領域を略六角形以上の多角形の小領域に分割し、その小領域内に一対のキーを配置するとともに、筐体の内側にその小領域に対応する略六角形のリブを形成したことを主要な特徴とする。
【００１４】
また本発明は前記第二の課題を解決するために、キーボードの筐体のキーを配置する領域を略六角形以上の多角形の小領域に分割し、その小領域内に一対のキーを配置するとともに、小領域の両側に一対の照明手段を設けて、小領域内に配置した一対のキーを照明するようにしたことを主要な特徴とする。
【００１５】
また本発明は前記第三の課題を解決するために、キーボードの筐体のキーを配置する領域を略六角形以上の多角形の小領域に分割し、その小領域内に一対の半円形のキーを配置したことを主要な特徴とする。
【００１６】
また本発明は、キーボードの筐体のテンキーを配置する領域を略六角形以上の多角形の小領域に分割し、その小領域内に一対のテンキーを配置したことを主要な特徴とする。
【００１７】
また本発明は携帯電話装置等の情報端末装置のキーボードについて、キーを配置する領域を略六角形以上の多角形の小領域に分割し、その小領域内に一対のキーを配置したことを主要な特徴とする。
【発明の効果】
【００１８】
本発明によれば、テンキーのような複数のキーを密集して設けたキーボードの筐体部分をハニカム（蜂の巣）構造の筐体として、複数のキーが狭い領域に密集していたとしても、強度が大きくて変形しにくいキーボードあるいは携帯電話装置等の情報端末装置を得ることができる。
【００１９】
また、本発明は、テンキーのような複数のキーを密集して設けた場合であっても、プリント基板上のキーの外側にＬＥＤを実装して、プリント基板のキーの外側からもＬＥＤで照明して、外側のキーの明るさが内側のキーの明るさに比べて暗くならないようにしている。
【００２０】
そして本発明は、テンキーを狭い領域に集めて配置したとしても、一見しただけでは大きなテンキーが設けてあるというように見せることができ、見た目にスッキリしたキーボートおよびキーボードを有する携帯電話装置等の情報端末装置を提供することができるという効果がある。
【発明を実施するための最良の形態】
【００２１】
以下、本発明の実施の形態を、図面を参照しながら説明する。
【００２２】
（実施の形態１）
本発明は、実施の形態１として携帯電話装置等の情報端末装置のキーボードのキーを配置する領域を略六角形の小領域に分割し、略六角形の小領域内に一対のキーを配置するよう構成している。以下に実施例１、実施例２、そして実施例３を示して具体的に説明する。
【実施例１】
【００２３】
図１に、本発明の実施例１のキーボードを用いた携帯電話装置１００の外観図を示す。携帯電話装置１００は無線通信手段を実装したプリント基板２１５を筐体１０１に内蔵している。携帯電話装置１００の筐体１０１の表面には電話番号を入力するためのテンキー１０２と、通話開始キー１０３と、終話キー１０４を設けている。そして、無線の電界強度やテンキーで入力した数値等を表示する表示部１０７を設け、表示部１０７とテンキー１０２の間には、多方向キー１０９を設けている。多方向キー１０９は、周囲の上、下、左、右のいずれかを押すことにより、表示部１０７に表示した複数の電話番号や各種メニューを上、下、左、または右にスクロールすることができる。多方向キー１０９と表示部１０７の間にはソフトキー１１０、１１１を設けて、表示部１０７に表示させたソフトキー用アイコン１１２、１１３に対応する信号を入力できるようにしている。そして、筐体１０１には、送話器として機能するマイクロフォン１０５、受話器として機能するスピーカ１０６を設け、アンテナ１０８を筐体から突出させている。
【００２４】
図１に示したように、携帯電話装置１００の筐体１０１のテンキー１０２を設けた領域を破線で示したような略六角形の小領域に細かく分割して、略六角形の小領域にそれぞれ一対のキーを配置している。図１では、各テンキーの形状は台形として、互いに底辺を向き合わせて略六角形の小領域に入るようにしている。また、携帯電話装置１００の二つの略六角形の小領域が上下に重なった部分の外側、図１でいうと、４番キーと７番キーの外側、あるいは６番キーと９番キーの外側のプリント基板２１５上の領域にも、正方形の破線で示したようにＬＥＤ２１８を実装している。なお、携帯電話装置１００の筐体１０１の破線で示した略六角形の部分については、内側の表面から内部に成型品をリブ状に形成することにより、六角形の蜂の巣がつながったようなハニカム（蜂の巣）構造を構成している。このように構成したハニカム構造は単に格子状にリブを形成した構造よりも剛性が高く、外力に対して変形しにくいという特長がある。
【００２５】
以上説明したように、本発明によれば、テンキーのような複数のキーを密集して設けたキーボードの筐体部分をハニカム構造の筐体として、複数のキーが狭い領域に密集していたとしても、強度が大きくて変形しにくいキーボード、あるいは比較的大きな外力が加わっても内部のプリント基板に不具合を生じないキーボードを、ひいてはそのようなキーボードを備えた携帯電話装置等の情報端末装置を得ることができる。
【実施例２】
【００２６】
次に、実施例２を説明する。実施例２はキーを配置する領域を略六角形の小領域に分割し、個々のテンキーの外形を半円形として、略六角形の小領域に一対の半円形のキーを配置したキーボードを携帯電話装置に用いたものである。以下に具体的に説明する。
【００２７】
図２に、本発明の実施例２の携帯電話装置２００の外観図を示す。携帯電話装置２００の構成は、テンキー２０２の外形以外は、既に説明した実施例１の携帯電話装置１００と同じなので、同じ部分については、同じ符号を付して説明を省略する。携帯電話装置２００では、個々のテンキーの外形を半円形として、略六角形の小領域に一対の半円形のキーを配置している。また、４番キーと７番キーの外側、あるいは６番キーと９番キーの外側のプリント基板２１５上の領域にも、正方形の破線で示したようにＬＥＤ２１８を実装している。
【００２８】
携帯電話装置２００によれば、一つの略六角形の小領域に配置した一対の半円形のテンキー２０２が、あたかも一つの円形のキーが配置してあるように見える。すなわち、携帯電話装置２００は、テンキーを狭い領域に集めて配置しているが、一見したところでは大きな円形のテンキーが設けてあるように見える。
【００２９】
図３に、携帯電話装置２００の上筐体２３０を取り外して内側から見たときの外観図を示す。上筐体２３０の内側には、太線で示した六角形２２０、２２１等がハニカム状につながっている。これらの太線で示した六角形２２０、２２１等は上筐体２３０の内側平面からリブ状に立ち上がるように形成している。そのため、単に格子状にリブを形成したときより変形しにくくなっている。太線で示した六角形には一対の半円形のテンキー用穴２２２、２２３等があいている。
【００３０】
図４に、携帯電話装置２００の筐体２０１に搭載されるプリント基板２１５の外観図を示す。なお、筐体２０１との位置関係を示すために、筐体２０１を破線で示している。図４のプリント基板２１５には、テンキー用のダイヤフラム２１６が四行三列のマトリックス状に配置してある。また、一対のＬＥＤ２１８を略六角形の小領域の両側に設けて、ＬＥＤ２１８により略六角形の小領域内に配置した一対のキーをそれぞれ照明することにしている。そして、図４のようにＬＥＤ２１８を配置することによって、テンキーが同じような明るさで照明されるようにしている。
【００３１】
本発明によれば、図２に示したとおり、テンキーを狭い領域に集めて配置したとしても、一見しただけでは大きなテンキーが設けてあるというように見せることができ、見た目にスッキリしたキーボートおよびキーボードを有する携帯電話装置を提供することができるという効果がある。特に、携帯電話装置の使い方として、電子電話帳や着信履歴、発信履歴を多方向キー１０９で読みだして電話をかけることが多い利用者はテンキーの使用頻度が低いため、余り使用しないテンキーが見た目に美しいほうがよいということになる。
【００３２】
また、図３のように、略六角形の小領域に一対のキーを配置するようにして、筐体のテンキー部分をハニカム構造として剛性を増して、ある程度の外力で押されたとしても筐体が変形しにくく、テンキーに対向して内蔵しているプリント基板に不具合を生じないという効果が得られる。
【００３３】
また、図４のように、テンキーの両側からＬＥＤで照明することにより、外側のテンキーの明るさが中央のテンキーの明るさと変わらないキーボードあるいはキーボードを有する携帯電話装置を得ることができる。
【００３４】
なお、上記実施例１と実施例２の説明ではテンキーの個々の外形を台形あるいは半円形として示したが、これら台形あるいは半円形のとがった角部分を丸くしたり、台形あるいは半円形以外の形状にしてよいことはもちろんである。
【実施例３】
【００３５】
次に、実施例３を説明する。実施例３は、キーを配置する領域を略六角形の小領域に分割し、略六角形の小領域内に一対の楕円形のキーを配置するよう構成している。以下具体的に説明する。
【００３６】
図５に、本発明の実施例３のキーボードを用いた携帯電話装置３００の外観図を示す。
【００３７】
携帯電話装置３００では、筐体３０１のテンキーの領域を略六角形の小領域に細かく分割し、略六角形の小領域内に一対の楕円形のキー３０２を配置して、テンキー全てが同じ楕円形となるようにしている。他の構成は、既に実施例１で説明した携帯電話装置１００と同じなので、同一部分には同一の番号を付して説明を省略する。
【００３８】
携帯電話装置３００によれば、略六角形の小領域内に配置するキーの外形を上下対称としたため、既に説明した実施例１や実施例２のキーよりは小さいキーとなっているが、キーを配置する領域がハニカム構造であり外力による変形を少なくできるという効果が得られる。
【００３９】
図６に、携帯電話装置３００の上筐体３３０を取り外して内側から見たときの外観図を示す。上筐体３３０の内側には、太線で示した六角形３２０、３２１等がハニカム状につながっている。これらの太線で示した六角形３２０、３２１等は上筐体３３０の内側平面からリブ状に立ち上がるように形成している。そして、太線で示した六角形３２０、３２１等には一対の楕円形のテンキー用穴３２２、３２３等があいている。図６では、六角形３２０、３２１等に水平方向の横リブ３２４、３２５等を設けて更に剛性を高め、キーを配置する領域を更に変形しにくくしている。なお、以上の説明で小領域を略六角形として説明したが、このことは、小領域の形が正六角形に限らずほぼ六角形であればよく、六角形の辺が直線はもちろん曲線であってもよいということを意味している。
【００４０】
（実施の形態２）
次に、本発明の実施の形態２を説明する。本発明の実施の形態２は、携帯電話装置等の情報端末装置のキーボードのキーを配置する領域を略八角形の小領域に分割し、略八角形の小領域内に一対のキーを配置している。以下に実施例４、実施例５を示して具体的に説明する。
【実施例４】
【００４１】
図７に、本発明の実施例４のキーボードを用いた携帯電話装置４００の外観図を示す。
【００４２】
携帯電話装置４００では、筐体４０１のテンキーの領域を略八角形の小領域に分割し、略八角形の小領域内に一対のほぼ台形をした六角形のキー４０２を配置している。一対のキー４０２で一つの大きな八角形のキーに見えるようにしている。他の構成は、既に実施例１で説明した携帯電話装置１００と同じなので、同一部分には同一の番号を付して説明を省略する。
【００４３】
本発明の実施例４の筐体４０１は、実施例１のハニカム構造に類似した構造であり、略八角形の小領域にリブを設けたときには、略八角形の小領域の隙間に小さい四角の小領域が付随的にできるので、外力が加わってもキーの領域が変形しにくいという効果がある。また、隣り合うキーの向きを揃えることができるので、一対のキーからなる大きな八角形のキーが整然と並ぶように配置することができるという効果がある。
【実施例５】
【００４４】
図８に、本発明の実施例５のキーボードを用いた携帯電話装置５００の外観図を示す。
【００４５】
携帯電話装置５００では、筐体５０１のテンキーの領域を略八角形の小領域に分割し、略八角形の小領域内に一対の半円形のキー５０２を配置している。一対の半円キー５０２で一つの大きな円形のキーに見えるようにしている。他の構成は、既に実施例１で説明した携帯電話装置１００と同じなので、同一部分には同一の番号を付して説明を省略する。
【００４６】
携帯電話装置５００によれば、一対の半円キー５０２からなる大きな円形のキーが整然と配置できるので、テンキーがスッキリと整然に並んで見えるという効果がある。またキーを配置する領域がハニカムに類似の構造であり、略八角形の小領域の隙間に小さな四角の領域ができているので外力が加わってもキーの領域が変形しにくいという効果は既に述べた実施例と同じである。
【００４７】
図９に、携帯電話装置５００の上筐体５３０を取り外して内側から見たときの外観図を示す。上筐体５３０の内側には、太線で示した八角形５２０、５２１等がハニカム状につながっている。これらの太線で示した八角形５２０、５２１等は上筐体５３０の内側平面からリブ状に立ち上がるように形成している。そして、太線で示した八角形５２０、５２１等には一対の半円形のテンキー用穴５２２、５２３等があいている。
【００４８】
（実施の形態３）
次に、本発明の実施の形態３を説明する。本発明の実施の形態３は、携帯電話装置等の情報端末装置のキーボードのキーを配置する領域を多角形の角数を増やした究極の姿である円形の小領域に分割し、円形の小領域内に一対の半円形のキーを配置している。以下に実施例６と実施例７を示して具体的に説明する。
【実施例６】
【００４９】
図１０に、本発明の実施例６のキーボードを用いた携帯電話装置６００の外観図を示す。
【００５０】
携帯電話装置６００では、筐体６０１のテンキーの領域を多角形の角の数を増やしたときの究極の姿である円形の小領域に分割し、その小領域内に一対の半円形のキー６０２を配置して一対の半円キーで一つの大きな円形のキーに見えるようにしている。他の構成は、既に実施例１で説明した携帯電話装置１００と同じなので、同一部分には同一の番号を付して説明を省略する。
【００５１】
図１１に、携帯電話装置６００の上筐体６３０を取り外して内側から見たときの外観図を示す。上筐体６３０の内側には、太線で示した円６２０、６２１等がつながっている。これらの太線で示した円６２０、６２１等は上筐体６３０の内側平面からリブ状に立ち上がるように形成している。そして、太線で示した円６２０、６２１等には一対の半円形のテンキー用穴６２２、６２３等があいている。
【００５２】
携帯電話装置６００によれば、円形の小領域内が縦横に整然と配置できるので、テンキーが整然と並んで見えるという効果がある。また、円形であるので成形金型の製作が容易であるという実用的な面で有利な効果もある。円形の小領域の隙間にほぼ四角の領域ができているので外力が加わってもキーの領域が変形しにくいという効果がある。
【実施例７】
【００５３】
以上、キーを配置する領域を六角形、八角形、そして多角形の究極の姿である円形の小領域に分割した形態を実施例を示して説明したが、本発明はキーボードの筐体のテンキーを配置する領域を略六角形以上の多角形の小領域に分割し、その小領域内に一対のテンキーを配置したものであれば、小領域を全て同じ六角形、八角形、円形に統一せずに、異なる多角形の小領域を混在させてもよい。また、上側筐体内部に設けるリブについても、必ずしも直線のリブで無く、カーブを描いたリブとしてもよい。
【００５４】
略六角形の小領域の中に円形の小領域を混在させた形にした場合を実施例７として図１２に示す。図１２では、上筐体７３０の内側に太線で示した六角形７２０、７２１等がハニカム状につながっている。そして、４つの六角形の小領域の中心には円形の小領域を設け、太線で示した六角形７２０、７２１そして円形７２４の部分について、上筐体７３０の内側平面からリブ状に立ち上がるように形成している。そして、太線で示した六角形７２０、７２１等と円形７２４の中には一対の半円形のテンキー用穴７２２、７２３等があいている。このように小領域を異なる多角形あるいは円形の組み合わせとしても、ハニカム構造と類似の構造であり、強度が増すこと等既に説明した他の実施例と同様の効果が得られる。
【産業上の利用可能性】
【００５５】
本発明は、携帯電話装置のキーボード以外に、パーソナルコンピュータのキーボードや、ＰＤＡ（Ｐｅｒｓｏｎａｌ  Ｄｉｇｉｔａｌ  Ａｓｓｉｓｔａｎｃｅ）その他の情報処理装置のキーボードに適用することができる。
【図面の簡単な説明】
【００５６】
【図１】本発明の実施例１の携帯電話装置の外観図
【図２】本発明の実施例２の携帯電話装置の外観図
【図３】本発明の実施例２の携帯電話装置の上筐体の外観図
【図４】本発明の実施例２の携帯電話装置のプリント基板の外観図
【図５】本発明の実施例３の携帯電話装置の外観図
【図６】本発明の実施例３の携帯電話装置の上筐体の外観図
【図７】本発明の実施例４の携帯電話装置の外観図
【図８】本発明の実施例５の携帯電話装置の外観図
【図９】本発明の実施例５の携帯電話装置の上筐体の外観図
【図１０】本発明の実施例６の携帯電話装置の外観図
【図１１】本発明の実施例６の携帯電話装置の上筐体の外観図
【図１２】本発明の実施例７の携帯電話装置の上筐体の外観図
【図１３】従来の携帯電話装置の外観図
【図１４】従来の携帯電話装置の外観図
【図１５】従来の携帯電話装置のＡ−Ａ断面図
【図１６】従来の携帯電話装置のプリント基板の外観図
【符号の説明】
【００５７】
１０１，２０１，３０１，４０１    筐体
１０２，２０２，３０２，４０２    テンキー
１０３    通話開始キー
１０４    終話キー
１０９    多方向キー
１１０，１１１    ソフトキー
２１５    プリント基板
２１８    ＬＥＤ
２２０，２２１    六角形リブ
２２２，２２３    テンキー用穴
２３０，３３０，４３０    上筐体
【図１】
2005099899.tif 000003
【図２】
2005099899.tif 000004
【図３】
2005099899.tif 000005
【図４】
2005099899.tif 000006
【図５】
2005099899.tif 000007
【図６】
2005099899.tif 000008
【図７】
2005099899.tif 000009
【図８】
2005099899.tif 000010
【図９】
2005099899.tif 000011
【図１０】
2005099899.tif 000012
【図１１】
2005099899.tif 000013
【図１２】
2005099899.tif 000014
【図１３】
2005099899.tif 000015
【図１４】
2005099899.tif 000016
【図１５】
2005099899.tif 000017
【図１６】
2005099899.tif 000018